(57)【要約】【課題】リール取付アームとスラットアームとの間に穀稈が侵入し、侵入した穀稈がリール回転軸に巻き付くという課題がある。【解決手段】走行装置２の上側に脱穀装置３を設け、該脱穀装置３の前方に刈取装置４を設け、刈取装置４はオーガーフレーム１４に、掻込リール１５と刈刃１６とオーガー８を設けて構成し、掻込リール１５はリール回転軸２０に左右一対のスラットフレーム２１の各スラットアーム２２の中心を取付ける。リール回転軸２０の両端は基部をオーガーフレーム１４に取付けた左右一対のリール取付アーム２５に回転自在に軸装し、掻込リール１５の未刈り地側のスラットアーム２２の外側面には、リール回転軸２０におけるスラットアーム２２とリール取付アーム２５との間の部位に穀稈が巻き付くのを抑制するスクレーパ３５を設けたコンバイン。【選択図】図２
2016067247.tif 000002
【特許請求の範囲】
【請求項１】
走行装置（２）の上側に脱穀装置（３）を設け、該脱穀装置（３）の前方に刈取装置（４）を設け、刈取装置（４）はオーガーフレーム（１４）に、掻込リール（１５）と刈刃（１６）とオーガー（８）を設けて構成し、前記掻込リール（１５）は、リール回転軸（２０）に左右一対のスラットフレーム（２１）の各スラットアーム（２２）の中心を取付け、各スラットアーム（２２）の先端にリールタイン（２４）を取付けたスラットバー（２３）を取付けて構成し、リール回転軸（２０）の両端は基部をオーガーフレーム（１４）に取付けた左右一対のリール取付アーム（２５）の取付部（２６）のボス部（２７）に回転自在に軸装し、掻込リール（１５）の未刈り地側のスラットアーム（２２）の外側面には、リール回転軸（２０）におけるスラットアーム（２２）とリール取付アーム（２５）との間の部位に穀稈が巻き付くのを抑制するスクレーパ（３５）を設けたコンバイン。
【請求項２】
請求項１記載の発明において、前記スクレーパ（３５）は、正面視、掻込リール（１５）のスラットアーム（２２）の外端縁（３８）とリール取付アーム（２５）の間に位置して、掻込リール（１５）と一体回転するように設けた板部材により構成したコンバイン。
【請求項３】
請求項２記載の発明において、前記スクレーパ（３５）は、板部材の両端に細幅の取付部（３６）を設け、該取付部（３６）をリール回転軸（２０）を挟んで上下位置となる一対のスラットアーム（２２）の前面にボルト（３７）により取付け、両端の取付部（３６）の間のスクレーパ（３５）は、スラットアーム（２２）の外端縁（３８）より外側に位置する幅広のスクレーパ部（３９）に形成したコンバイン。
【請求項４】
請求項２記載の発明において、前記リール回転軸（２０）を挟んで上下位置となる一対のスラットアーム（２２）のうちの、一方のスラットアーム（２２）の先端からボス部（２７）を経由して他方のスラットアーム（２２）の先端に向かってスクレーパ（３５）を配置し、一方のスラットアーム（２２）の先端と他方のスラットアーム（２２）の先端にスクレーパ（３５）の取付部（３６）をボルト（３７）により取付け、経由するボス部（２７）に対して、スクレーパ（３５）のスクレーパ部（３９）の外側縁（４０）をスラットアーム（２２）の外端縁（３８）よりもボス部（２７）に接近させたコンバイン。
【請求項５】
請求項１〜請求項４のいずれか一項記載の発明において、前記ボス部（２７）の近傍のスクレーパ（３５）のスクレーパ部（３９）には、板状のスクレーパ部（３９）とは別途形成した弾性部材（４１）をボルト（３７）により取付けて弾性スクレーパ部（４２）を設けたコンバイン。
【発明の詳細な説明】
【技術分野】
【０００１】
本発明は、コンバインに係るものである。
【背景技術】
【０００２】
従来、オーガーフレームに、リールと、刈刃とオーガーを設けて構成した刈取装置を設けたコンバインの構成は、公知である（特許文献１）。
公知の掻込リールは、リール回転軸に左右一対のスラットフレームの各スラットアームの中心を取付け、リール回転軸の両端はオーガーフレームに取付けた左右一対のリール取付アームのボス部に回転自在に軸装した構成である。
【先行技術文献】
【特許文献】
【０００３】
【特許文献１】特開２００３−７０３３２号公報
【発明の概要】
【発明が解決しようとする課題】
【０００４】
前記公知例は、左右一対のスラットフレームをリール回転軸に取付け、リール回転軸の両端は左右一対のリール取付アームのボス部に軸装しているので、未刈り地側（左側）のスラットアームとリール取付アームとの間に穀稈が侵入し、侵入した穀稈がリール回転軸に巻き付くという課題がある。
本願は、リール回転軸に穀稈が巻き付くのを抑制するように工夫したものである。
【課題を解決するための手段】
【０００５】
請求項１記載の発明は、走行装置２の上側に脱穀装置３を設け、該脱穀装置３の前方に刈取装置４を設け、刈取装置４はオーガーフレーム１４に、掻込リール１５と刈刃１６とオーガー８を設けて構成し、前記掻込リール１５は、リール回転軸２０に左右一対のスラットフレーム２１の各スラットアーム２２の中心を取付け、各スラットアーム２２の先端にリールタイン２４を取付けたスラットバー２３を取付けて構成し、リール回転軸２０の両端は基部をオーガーフレーム１４に取付けた左右一対のリール取付アーム２５の取付部２６のボス部２７に回転自在に軸装し、掻込リール１５の未刈り地側のスラットアーム２２の外側面には、リール回転軸２０におけるスラットアーム２２とリール取付アーム２５との間の部位に穀稈が巻き付くのを抑制するスクレーパ３５を設けたコンバインとしたものであり、掻込リール１５の未刈り稈側のスラットアーム２２の外側でスクレーパ３５が回転して、スラットアーム２２とリール取付アーム２５との間のリール回転軸２０に穀稈が巻き付くのを抑制する。
請求項２記載の発明は、スクレーパ３５は、正面視、掻込リール１５のスラットアーム２２の外端縁３８とリール取付アーム２５の間に位置して、掻込リール１５と一体回転するように設けた板部材により構成したコンバインとしたものであり、スクレーパ３５は、正面視において掻込リール１５のスラットアーム２２の外端縁３８とリール取付アーム２５の間を、掻込リール１５と一体回転してスラットアーム２２とリール取付アーム２５との間のリール回転軸２０に穀稈が巻き付くのを抑制する。
請求項３記載の発明は、スクレーパ３５は、板部材の両端に細幅の取付部３６を設け、該取付部３６をリール回転軸２０を挟んで上下位置となる一対のスラットアーム２２の前面にボルト３７により取付け、両端の取付部３６の間のスクレーパ３５は、スラットアーム２２の外端縁３８より外側に位置する幅広のスクレーパ部３９に形成したコンバインとしたものであり、スクレーパ３５の両端の細幅の取付部３６をスラットアーム２２の前面にボルト３７により取付け、両端の取付部３６の間のスクレーパ３５を、スラットアーム２２の外端縁３８より外側の幅広のスクレーパ部３９がリール取付アーム２５の内側で回転して、スラットアーム２２とリール取付アーム２５との間へ穀稈が侵入するのを抑制する。
請求項４記載の発明は、リール回転軸２０を挟んで上下位置となる一対のスラットアーム２２のうちの、一方のスラットアーム２２の先端からボス部２７を経由して他方のスラットアーム２２の先端に向かってスクレーパ３５を配置し、一方のスラットアーム２２の先端と他方のスラットアーム２２の先端にスクレーパ３５の取付部３６をボルト３７により取付け、経由するボス部２７に対して、スクレーパ３５のスクレーパ部３９の外側縁４０をスラットアーム２２の外端縁３８よりもボス部２７に接近させたコンバインとしたものであり、スクレーパ３５は、一方のスラットアーム２２の先端からボス部２７を経由して他方のスラットアーム２２の先端に向かった位置にて回転して、スラットアーム２２とリール取付アーム２５との間へ穀稈が侵入するのを抑制する。
請求項５記載の発明は、前記ボス部２７の近傍のスクレーパ３５のスクレーパ部３９には、板状のスクレーパ部３９とは別途形成した弾性部材４１をボルト３７により取付けて弾性スクレーパ部４２を設けたコンバインとしたものであり、ボス部２７の近傍のスクレーパ３５のスクレーパ部３９に、別途形成した弾性部材４１をボルト３７により取付ける。
【発明の効果】
【０００６】
請求項１記載の発明では、掻込リール１５の未刈り稈側のスラットアーム２２の外側で回転するスクレーパ３５が、スラットアーム２２とリール取付アーム２５との間に穀稈が侵入するのを抑制して、リール回転軸２０に穀稈が巻き付くのを抑制することができる。
請求項２記載の発明では、スクレーパ３５は、正面視において掻込リール１５のスラットアーム２２の外端縁３８とリール取付アーム２５の間を、掻込リール１５と一体回転するので、スラットアーム２２とリール取付アーム２５との間のリール回転軸２０に穀稈が巻き付くのを抑制することができる。
請求項３記載の発明では、スクレーパ３５の取付を容易にすることができる。
請求項４記載の発明では、スクレーパ３５は、一方のスラットアーム２２の先端からボス部２７を経由して他方のスラットアーム２２の先端に向かって位置するので、ボス部２７の周囲を包囲するように回転して、スラットアーム２２とリール取付アーム２５との間へリール回転軸２０が侵入するのを抑制できる。
請求項５記載の発明は、ボス部２７の近傍のスクレーパ３５のスクレーパ部３９に、別途形成した弾性部材４１をボルト３７により取付けて弾性スクレーパ部４２を設けているので、弾性スクレーパ部４２により、スラットアーム２２とリール取付アーム２５との間の隙間を小さくして、一層、穀稈が侵入するのを抑制して、リール回転軸２０に穀稈が巻き付くのを抑制することができると共に、ボス部２７との干渉を抑制でき、掻込リール１５の作動への悪影響を回避させることができる。
【図面の簡単な説明】
【０００７】
【図１】コンバインの側面図。
【図２】刈取装置の側面図。
【図３】掻込リールの展開状態の平面図。
【図４】同一部拡大図。
【図５】スクレーパの側面図。
【図６】弾性スクレーパ部の正面図。
【図７】同一部正面図。
【図８】搬送エレベータの平面図。
【図９】同側面図。
【図１０】搬送エレベータの逆転機構の他の例の平面図。
【図１１】同側面図。
【発明を実施するための形態】
【０００８】
本発明の実施形態の一例を図面により説明すると、１は機体フレーム、２は機体フレーム１の下部に設けた走行装置、３は機体フレーム１上に設けた脱穀装置、４は脱穀装置３の前方に設けた刈取装置、５はグレンタンク、６は操縦部である。
刈取装置４は、左右側板１０と、後述するオーガー１１の下方に位置する底板１２と、左右の側板１０と底板１２とを連結するように設けた後板１３により構成したオーガーフレーム１４に、掻込リール１５と、刈刃１６と前記オーガー１１を設けて構成し、オーガーフレーム１４には搬送エレベーター１７の先端を取付け、搬送エレベーター１７の基部は脱穀装置３の脱穀室に接続する。
前記オーガー１１は、刈刃１６が刈り取った穀稈を前記搬送エレベーター１７との連通口１９に集約するものであり、略同径の円筒状部材の外周に穀稈を搬送するスパイラル翼（図示省略）を設け、搬送エレベーター１７との連通口に対峙する部分に搬送エレベーター１７に穀稈および穀物を投入搬送するオーガーフィンガー（図示省略）を設けている。したがって、刈刃１６により刈取られた穀稈はそのまま搬送エレベーター１７に供給されて、脱穀室に搬送される。
【０００９】
掻込リール１５は、図２，図３に示すように、リール回転軸２０に左右一対のスラットフレーム２１の各スラットアーム２２の中心を取付け、各スラットアーム２２の先端にはスラットバー２３を取付け、各スラットバー２３にはリールタイン２４を取付けて構成している。
リール回転軸２０の両端は左右一対のリール取付アーム２５の取付部２６に設けたボス部２７に回転自在に軸装する。取付部２６はリール取付アーム２５に着脱自在で前後位置調節自在に取付ける。リール取付アーム２５の基部は、オーガーフレーム１４に軸２８により回動自在に取付け、オーガーフレーム１４とリール取付アーム２５の間に設けた上下シリンダ２９により高さ位置を上下調節する。
また、前記リールタイン２４の地面に対する角度も、調節可能に構成している。リールタイン２４の側面視の角度調節機構の構成は任意であるが、刈り地側のスラットフレーム２１の外側に角度変更用フレーム３０を設け（図３）、角度変更用フレーム３０は図示は省略するが、スラットフレーム２１の回転中心より外れた回転中心で回転するように、リンク（図示省略）を介して取付け、角度変更用フレーム３０とスラットフレーム２１との相対位置を変更することにより、リールタイン２４を常時地面に対して所定角度を保持して回転するように構成している。
【００１０】
掻込リール１５の未刈り稈側（左側）のスラットアーム２２の外側面には、スラットアーム２２とリール取付アーム２５との間のリール回転軸２０に穀稈が巻き付くのを抑制するスクレーパ３５を設ける。スクレーパ３５は板部材により形成し、両端は細幅の取付部３６に形成し（図４）、取付部３６をリール回転軸２０を挟んで上下位置となる一対のスラットアーム２２の前面にボルト３７により取付ける。両端の取付部３６の間のスクレーパ３５は、スラットアーム２２の外端縁３８より外側に位置する幅広のスクレーパ部３９に形成し、図２においては、リール回転軸２０の前側に位置しているスクレーパ部３９が、掻込リール１５の回転によりリール回転軸２０の後側を通るように、リール回転軸２０の周囲を回転してスラットアーム２２とリール取付アーム２５との間のリール回転軸２０への穀稈の侵入を抑制する。
即ち、リール回転軸２０を挟んで上下位置となる一対のスラットアーム２２のうちの、一方のスラットアーム２２の先端からボス部２７を経由して他方のスラットアーム２２の先端に向かって配置し、一方のスラットアーム２２の先端と他方のスラットアーム２２の先端にスクレーパ３５の取付部３６をボルト３７により取付ける。経由するボス部２７に対して、スクレーパ３５のスクレーパ部３９の外側縁４０をスラットアーム２２の外端縁３８よりもボス部２７に接近させる（図４）。
【００１１】
ボス部２７の近傍のスクレーパ３５のスクレーパ部３９には別途板状の弾性部材４１をボルト３７により取付けて弾性スクレーパ部４２を設ける。弾性スクレーパ部４２は、その外側縁４３を、スクレーパ部３９の外側縁４０よりも更にボス部２７に接近させる。
そのため、一層、スクレーパ３５は、スラットアーム２２とリール取付アーム２５との間のリール回転軸２０への穀稈の侵入を抑制する。
４４は補強プレートである。図５において、スクレーパ部３９の下面に弾性部材４１を当接させ、弾性部材４１の下面に補強プレート４３を当接させて、ボルト３７により三者を連結固定している。
なお、図６、図７において、理解を容易にするために、スクレーパ部３９より突出する部分の弾性スクレーパ部４２に斜線を付しているが、これにより構成は限定されない。
搬送エレベーター１７には、オーガーフレーム１４との連通口５０付近の穀稈等の詰まり物を除去するため、搬送エレベーター１７と刈取装置４の駆動を逆転させる逆転機構５１を設ける。
【００１２】
即ち、オーガー１１等に詰まりが発生したときに、刈取装置４と搬送エレベーター１７を逆転させられると、メンテナンスが容易になるので、逆転機構５１を設けている。
そのため、刈取装置４と搬送エレベーター１７を逆転させることができ、メンテナンスが容易になる。
逆転機構５１は、刈取装置４と搬送エレベーター１７に伝達する回転を逆転させるものであるから、まず、エンジン５２からの伝動経路を説明する。伝道経路は任意であるが、一例として、エンジン５２の駆動を搬送エレベーター１７に回転を伝達する構成で説明し、搬送エレベーター１７の入力プーリ５３を搬送エレベーター１７の駆動軸５４に設ける。
５５は駆動軸５４に設けた駆動歯車、５６は従動軸５７に設けた従動ローラ、５８は駆動歯車５５と従動ローラ５６に掛け回したエレベータチェン、５９はエレベータチェン５８に設けたスラット、６０は従動軸５７に設けた刈取装置４への出力プーリである。
【００１３】
図８に示したように、逆転機構５１は前記従動軸５７に手動逆転ハンドル６１を工具を用いることなく着脱自在に取付けて構成する。
そのため、オーガー１１から搬送エレベーター１７への引継部（連通口５０）の詰まりを、手動逆転ハンドル６１により従動軸５７を逆転させることにより、刈取装置４のオーガー１１と搬送エレベーター１７のエレベータチェン５８およびスラット５９を逆転させて詰まりを解消させられる。
エレベータチェン５８の従動軸５７に手動逆転ハンドル６１を取付けて逆転させるので、エレベータチェン５８の張り側で吐き出すことができ、トルクロスを抑制する。
手動逆転ハンドル６１と従動軸５７とは、所謂角軸嵌合等の構成により着脱するようにして、着脱ができて、しかも、手動逆転ハンドル６１により従動軸５７を逆回転可能に構成すると共に、手動逆転ハンドル６１は所定長さを有して構成する。
そのため、手動逆転ハンドル６１の着脱を容易にし、しかも、所定長さを有する手動逆転ハンドル６１により逆転作業を容易にでき、また、刈取装置４の上下位置に関わらず、手動逆転ハンドル６１を従動軸５７に取り付ければ逆転作業を行える。
また、手動逆転ハンドル６１は刈取作業中は取り外せるので、刈取作業に悪影響を与えない。
６２は従動軸５７の突起６３に嵌合する手動逆転ハンドル６１の嵌合部である。
【００１４】
また、手動逆転ハンドル６１の嵌合部６２と従動軸５７の突起６３との何れか一方には、手動逆転ハンドル６１の逆転操作力のみ伝達するラチェット機構（図示省略）を設けると、手動逆転ハンドル６１を着脱せずに逆転作業を行え、逆転作業を容易にする。
搬送エレベーター１７のエレベータチェン５８には、テンションギヤ６５を噛み合わせ、エレベータチェン５８の緊張状態を保持するが、テンションギヤ６５のテンションバネ６６の引っ張りを規制する引っ張り規制部材を設ける。
そのため、引っ張り規制部材によりテンションバネ６６を非作用状態としてエレベータチェン５８を緩め、手動逆転ハンドル６１の逆転作業を容易にする。
引っ張り規制部材の構成は、任意であり、例えば、テンションバネ６６のテンションギヤ６５側の端部を搬送エレベータ１７の側板に固定し、テンションバネ６６を短縮不能にする構成であればよい。
手動逆転ハンドル６１と従動軸５７との嵌合部付近には、手動逆転ハンドル６１の装着を検出する検知センサ（図示省略）を設け、該検知センサが手動逆転ハンドル６１の装着を検出すると、刈取装置４への伝動を入切する刈取クラッチ（図示省略）が入らないように牽制するように構成する。
【００１５】
そのため、手動逆転ハンドル６１の取り外しの忘れや誤操作により、刈取装置４と搬送エレベーター１７を駆動してしまうことを、未然に防止する。
また、手動逆転ハンドル６１と従動軸５７との嵌合部には、カム機構（図示省略）を設け、従動軸５７が正転方向に回ると、手動逆転ハンドル６１が従動軸５７から外れるように構成する。
そのため、手動逆転ハンドル６１の取り外しの忘れや誤操作により、刈取装置４と搬送エレベーター１７を駆動してしまうことを、未然に防止する。
図１０、図１１は、逆転機構５１の他の例を示し、手動逆転ハンドル６１を、搬送エレベーター１７の駆動軸５４に上記構成を採用して、駆動軸５４を逆転させる構成としたものである。
【００１６】
（実施形態の作用）
エンジンを始動し、走行装置２により機体を走行させると、掻込リール１５が回転し、未刈稈を掻き込み、掻込んだ穀稈を刈刃１６で刈取り、刈取った穀稈および穀粒を回転するオーガー１１により集め、回転するオーガー１１により搬送エレベーター１７内へ供給し、搬送エレベーター１７により脱穀装置３へ供給されて脱穀される。
掻込リール１５は、リール回転軸２０に左右一対のスラットフレーム２１の各スラットアーム２２の中心を取付け、各スラットアーム２２の先端にはスラットバー２３を取付け、各スラットバー２３にはリールタイン２４を取付けて構成し、リール回転軸２０の両端は左右一対のリール取付アーム２５の付部２６に設けたボス部２７に回転自在に軸装し、掻込リール１５の未刈り稈側（左側）のスラットアーム２２の外側面には、スラットアーム２２とリール取付アーム２５との間のリール回転軸２０に穀稈が巻き付くのを抑制するスクレーパ３５を設けているので、スラットアーム２２とリール取付アーム２５との間のリール回転軸２０に穀稈が巻き付くのを抑制する。
【００１７】
スクレーパ３５は、正面視、掻込リール１５のスラットアーム２２の外端縁外端縁３８とリール取付アーム２５の間に位置して、掻込リール１５と一体回転するように設けているので、掻込リール１５が穀稈を掻き込む際にスラットアーム２２とリール取付アーム２５との間に侵入する穀稈は回転するスクレーパ３５に上方から叩かれるように分草され、スラットアーム２２とリール取付アーム２５との間のリール回転軸２０に穀稈が侵入するのを抑制する。
即ち、図２において、リール回転軸２０の前側に位置しているスクレーパ部３９は、掻込リール１５が回転するとリール回転軸２０の後側を通るように、リール回転軸２０の周囲を回転するので、スラットアーム２２とリール取付アーム２５との間のリール回転軸２０への穀稈の侵入を抑制する。
スクレーパ３５は板部材により形成し、両端は細幅の取付部３６に形成し、取付部３６をリール回転軸２０を挟んで上下位置となる一対のスラットアーム２２の前面にボルト３７により取付け、両端の取付部３６の間のスクレーパ３５は、スラットアーム２２の外端縁３８より外側に位置する幅広のスクレーパ部３９に形成し、スクレーパ部３９の回転軌跡の前側部分は、図２のように、リール回転軸２０よりはるかに前側に位置するので、リール回転軸２０のボス部２７に至る前にスクレーパ３５は穀稈に分草するように作用し、スラットアーム２２とリール取付アーム２５との間のリール回転軸２０に穀稈が侵入するのを抑制する。
【００１８】
即ち、リール回転軸２０を挟んで上下位置となる一対のスラットアーム２２のうちの、一方のスラットアーム２２の先端からボス部２７を経由して他方のスラットアーム２２の先端に向かって配置し、一方のスラットアーム２２の先端と他方のスラットアーム２２の先端にスクレーパ３５の取付部３６をボルト３７により取付け、経由するボス部２７に対して、スクレーパ３５のスクレーパ部３９の外側縁４０をスラットアーム２２の外端縁３８よりもボス部２７に接近させているので、スクレーパ３５は、掻込リール１５のスラットアーム２２の外端縁３８とリール取付アーム２５の間の空間内を回転して、スラットアーム２２とリール取付アーム２５との間のリール回転軸２０に穀稈が侵入するのを抑制する。
ボス部２７の近傍のスクレーパ３５の取付部３６には別途板状の弾性部材４１をボルト３７により取付けて弾性スクレーパ部４２を設け、弾性スクレーパ部４２は、その外側縁４３を、スクレーパ部３９の外側縁４０よりも更にボス部２７に接近させて張り出させているので、一層、スクレーパ３５は、スラットアーム２２とリール取付アーム２５との間の空間を狭くして、穀稈の侵入を抑制すると共に、弾性部材４１により弾性スクレーパ部４２を構成しているので、ボス部２７へ干渉を抑制でき、掻込リール１５の回転作動に影響させない。
【符号の説明】
【００１９】
１…機体フレーム、２…走行装置、３…脱穀装置、４…刈取装置、５…グレンタンク、６…操縦部、１０…側板、１１…オーガー、１２…底板、１３…後板、１４…オーガーフレーム、１５…掻込リール、１６…刈刃、１７…搬送エレベーター、１９…連通口、２０…リール回転軸、２１…スラットフレーム、２２…スラットアーム、２３…スラットバー、２４…リールタイン、２５…リール取付アーム、２６…取付部、２７…ボス部、２８…軸、２９…上下シリンダ、３０…角度変更用フレーム、３５…スクレーパ、３６…取付部、３７…ボルト、３８…外端縁、３９…スクレーパ部、４０…外側縁、４１…弾性部材、４２…弾性スクレーパ部、４３…外側縁、５１…逆転機構、５３…入力プーリ、５４…駆動軸、５５…駆動歯車、５７…従動軸、５８…エレベータチェン、５９…スラット、６１…手動逆転ハンドル、６５…テンションギヤ、６６…テンションバネ。
【図１】
2016067247.tif 000003
【図２】
2016067247.tif 000004
【図３】
2016067247.tif 000005
【図４】
2016067247.tif 000006
【図５】
2016067247.tif 000007
【図６】
2016067247.tif 000008
【図７】
2016067247.tif 000009
【図８】
2016067247.tif 000010
【図９】
2016067247.tif 000011
【図１０】
2016067247.tif 000012
【図１１】
2016067247.tif 000013